(57)【要約】【課題】通信遅延の発生を抑えること。【解決手段】ＧＷ１ａは、受信した受信パケットの宛先となるＵＥ３ａを収容するＧＷ１を把握していない場合、ＵＥ３を収容するＧＷ１を管理するＣｏｎｔ２に対してＵＥ３ａを収容するＧＷ１の問い合わせを行い（Ｓ６）、問い合わせにより得られたＧＷ１ｂに受信パケットを送信する（Ｓ８）。ＧＷ１ａは、受信パケットをバッファリングし、問い合わせにより得られたＧＷ１ｂにバッファリングした受信パケットを送信してもよい。ＧＷ１ａは、受信パケットの送信元であるＧＷ１ｄに対して、ＵＥ３ａはＧＷ１ｂによって収容されている旨の情報を送信してもよい（Ｓ９）。【選択図】図１０
2019080116.tif 000002
【特許請求の範囲】
【請求項１】
受信した受信パケットの宛先となる宛先端末を収容するゲートウェイ装置を把握していない場合、端末を収容するゲートウェイ装置を管理する制御装置に対して前記宛先端末を収容する宛先ゲートウェイ装置の問い合わせを行い、前記問い合わせにより得られた前記宛先ゲートウェイ装置に前記受信パケットを送信する、ゲートウェイ装置。
【請求項２】
前記受信パケットをバッファリングし、前記問い合わせにより得られた前記宛先ゲートウェイ装置にバッファリングした前記受信パケットを送信する、請求項１に記載のゲートウェイ装置。
【請求項３】
前記受信パケットの送信元に対して、前記宛先端末は前記宛先ゲートウェイ装置によって収容されている旨の情報を送信する、請求項１又は２に記載のゲートウェイ装置。
【請求項４】
前記問い合わせを行った後に宛先が前記宛先端末であるパケットを受信した場合、前記制御装置に前記問い合わせを再度行うことなく、前記問い合わせにより得られた前記宛先ゲートウェイ装置に当該パケットを送信する、請求項１〜３の何れか一項に記載のゲートウェイ装置。
【発明の詳細な説明】
【技術分野】
【０００１】
本発明は、受信したパケットを転送するゲートウェイ装置に関する。
【背景技術】
【０００２】
下記非特許文献１では、ネットワークのプロトコルであるＬＩＳＰ（Locator/ID  Separation  Protocol）が開示されている。
【先行技術文献】
【非特許文献】
【０００３】
【非特許文献１】Marc  Portoles  Comeras、外4名、“LISP  L2/L3  EID  Mobility  Using  a  Unified  Control  Plane”、［online］、2016年4月7日、Internet  Engineering  Task  Force、［2017年10月16日検索］、インターネット〈URL：https://tools.ietf.org/html/draft-portoles-lisp-eid-mobility-00〉
【発明の概要】
【発明が解決しようとする課題】
【０００４】
上記ＬＩＳＰに基づいた移動体通信ネットワークにおける送信元端末から宛先端末へのパケット送信において、宛先端末の移動により宛先端末を収容するゲートウェイ装置が旧宛先ゲートウェイ装置から新宛先ゲートウェイ装置に変更された場合、送信元端末を収容するゲートウェイ装置である送信元ゲートウェイ装置に格納された宛先情報はただちに更新されない。送信元ゲートウェイ装置の宛先情報の更新は、送信元ゲートウェイ装置が、旧宛先ゲートウェイ装置から宛先端末の移動が通知された際に、端末を収容するゲートウェイ装置を管理する制御装置に対して新宛先ゲートウェイ装置の問い合わせを行った後に行われる。ここで、送信元ゲートウェイ装置における宛先情報の上記更新の間は、通信断が発生し、通信遅延が発生するという問題がある。
【０００５】
そこで、本発明は、かかる課題に鑑みて為されたものであり、通信遅延の発生を抑えることができるゲートウェイ装置を提供することを目的とする。
【課題を解決するための手段】
【０００６】
上記課題を解決するため、本発明のゲートウェイ装置は、受信した受信パケットの宛先となる宛先端末を収容するゲートウェイ装置を把握していない場合、端末を収容するゲートウェイ装置を管理する制御装置に対して宛先端末を収容する宛先ゲートウェイ装置の問い合わせを行い、問い合わせにより得られた宛先ゲートウェイ装置に受信パケットを送信する。
【０００７】
このようなゲートウェイ装置によれば、例えば、宛先端末の移動により、宛先端末を収容するゲートウェイ装置が当該ゲートウェイ装置から宛先ゲートウェイ装置に変更された場合でも、送信元ゲートウェイ装置からの受信パケットを、制御装置への問い合わせにより得られた宛先ゲートウェイ装置に送信することができる。そのため、送信元ゲートウェイ装置は、当該ゲートウェイ装置にパケットの送信を継続することができ、通信断が発生せず、通信遅延の発生を抑えることができる。
【発明の効果】
【０００８】
本発明によれば、通信遅延の発生を抑えることができる。
【図面の簡単な説明】
【０００９】
【図１】従来技術による移動体ネットワークのシステム構成図である。
【図２】図１のＧＷ１ａＺに格納された宛先情報のテーブル例を示す図である。
【図３】図１のＧＷ１ｄＺに格納された宛先情報のテーブル例を示す図である。
【図４】図１のＣｏｎｔ２Ｚに格納された制御情報のテーブル例を示す図である。
【図５】図１の移動体ネットワークで実行される処理を示すシーケンス図である。
【図６】本発明の実施形態に係るゲートウェイ装置を含む移動体ネットワークのシステム構成図である。
【図７】図６のＧＷ１ａに格納された宛先情報のテーブル例を示す図である。
【図８】図６のＧＷ１ｄに格納された宛先情報のテーブル例を示す図である。
【図９】図６のＣｏｎｔ２に格納された制御情報のテーブル例を示す図である。
【図１０】図６の移動体ネットワークで実行される処理を示すシーケンス図である。
【図１１】本発明の実施形態に係るゲートウェイ装置の機能ブロック図である。
【図１２】本発明の実施形態に係るゲートウェイ装置のハードウェア構成図である。
【発明を実施するための形態】
【００１０】
以下、図面とともにゲートウェイ装置の実施形態について詳細に説明する。なお、一般的なゲートウェイ装置と区別するため、以降ではゲートウェイ装置の実施形態を「ＧＷ装置」と記す。また、図面の説明においては同一要素には同一符号を付し、重複する説明を省略する。以下の説明における実施形態は、本発明の具体例であり、特に本発明を限定する旨の記載がない限り、これらの実施形態に限定されないものとする。
【００１１】
まず、図１〜５を用いて従来技術による移動体ネットワークについて説明し、次に、図６〜１０を用いてＧＷ装置を含む移動体ネットワークについて説明する。
【００１２】
図１は、従来技術による移動体ネットワークのシステム構成図である。図１に示す通り、従来技術による移動体ネットワークは、ゲートウェイ装置であるＧＷ１ａＺ（識別情報は「ＧＷ  ＃１」）、ＧＷ１ｂＺ（識別情報は「ＧＷ  ＃２」）、ＧＷ１ｃＺ（識別情報は「ＧＷ  ＃３」）、ＧＷ１ｄＺ（識別情報は「ＧＷ  ＃４」）及びＧＷ１ｅＺ（識別情報は「ＧＷ  ＃５」）（以上のゲートウェイ装置を総称して「ＧＷ１Ｚ」と適宜呼ぶ）、制御装置（Controller、Cont）であるＣｏｎｔ２Ｚ、並びに、ＵＥ（User  Equipment）であるＵＥ３ａＺ（識別情報は「ＵＥ  ＃１」）及びＵＥ３ｂＺ（識別情報は「ＵＥ  ＃２」）（以上のＵＥを総称して「ＵＥ３Ｚ」と適宜呼ぶ）を含んで構成される。
【００１３】
ＧＷ１Ｚは、例えば、５Ｇ（第５世代移動通信システム）におけるｅＮｏｄｅＢ又はＵＰＦ（User  Plane  Function）等である。ＧＷ１Ｚは、自装置が管轄する（自装置の電波が届く）エリアに位置するＵＥ３Ｚを収容する。ＵＥ３Ｚは、当該ＵＥ３Ｚを収容しているＧＷ１Ｚを介して移動体通信を行う。ＵＥ３Ｚが別のエリアに移動した場合、ＵＥ３Ｚの収容先は、当該別のエリアを管轄する別のＧＷ１Ｚに変更となる。図１では、当初ＧＷ１ａＺに収容されていたＵＥ３ａＺが、移動したことに伴い、ＧＷ１ｂＺに収容されるようになった場面を示している。その他、ＵＥ３ｂＺはＧＷ１ｄＺに収容されている。また、ＧＷ１Ｚ同士はネットワーク等を介して互いに通信可能である。
【００１４】
ＧＷ１Ｚは、ＵＥ３Ｚ又は別のＧＷ１Ｚ等の移動体ネットワークを構成するノードから送信されたパケット（Ｕ−Ｐｌａｎｅパケット）を受信し、自装置に予め格納された宛先情報に基づいて、ＵＥ３Ｚ又は別のＧＷ１Ｚ等の移動体ネットワークを構成するノードにパケットを転送する。図２及び３は、ＧＷ１Ｚに格納された宛先情報のテーブル例を示す図である。図２及び３の詳細については後述する。ＧＷ１Ｚは、Ｃｏｎｔ２Ｚからの指示（制御、Ｃ−Ｐｌａｎｅ信号）又は管理者からの指示等に基づいて、宛先情報を更新する。
【００１５】
Ｃｏｎｔ２Ｚは、例えば、５ＧにおけるＡＭＦ（Access  and  Mobility  Management  Function）又はＳＭＦ（Session  Management  Function）等である。Ｃｏｎｔ２Ｚは、ＵＥ３Ｚを収容するＧＷ１Ｚを管理する。Ｃｏｎｔ２Ｚは、配下のＧＷ１Ｚ又はＵＥ３Ｚとネットワーク等を介して互いに通信可能である。Ｃｏｎｔ２Ｚは、自装置に予め格納された制御情報に基づいて、配下のＧＷ１Ｚ又はＵＥ３Ｚを管理及び制御する。図４は、Ｃｏｎｔ２Ｚに格納された制御情報のテーブル例を示す図である。図４の詳細については後述する。Ｃｏｎｔ２Ｚは、移動体ネットワークのノードの変化又は管理者からの指示等に基づいて、制御情報を更新する。
【００１６】
ＵＥ３Ｚは、ユーザが携帯する端末である。ＵＥ３Ｚ同士は、図１に示す移動体ネットワークを介して互いに通信可能である。より具体的には、通信元のＵＥ３Ｚは、当該通信元のＵＥ３Ｚを収容しているＧＷ１Ｚ及び通信先のＵＥ３Ｚを収容しているＧＷ１Ｚを順に介して通信先のＵＥ３Ｚと通信を行う。
【００１７】
図５は、図１に示す移動体ネットワークで実行される処理を示すシーケンス図である。前提として、ＧＷ１ａＺは、図２（ａ）に示す宛先情報を格納し、ＧＷ１ｄＺは、図３（ａ）に示す宛先情報を格納し、Ｃｏｎｔ２Ｚは、図４（ａ）に示す制御情報を格納しているものとする。図２（ａ）に示すように、ＧＷ１ａＺに格納された宛先情報は、自装置が収容しているＵＥ３Ｚの識別情報であるＥＩＤ（Endpoint  Identifiers）を含む。図２（ａ）に示す宛先情報は、ＧＷ１ａＺがＵＥ３ａＺを収容していることを示している。また、図３（ａ）に示すように、ＧＷ１ｄＺに格納された宛先情報は、ＵＥ３Ｚの識別情報であるＥＩＤと、当該ＵＥ３Ｚを収容している（ＵＥ３Ｚの場所を示す）ＧＷ１Ｚの識別情報であるＲＬＯＣ（Routing  Locators）とを含む。図３（ａ）に示す宛先情報は、ＧＷ１ａＺがＵＥ３ａＺを収容していることを示している。また、図４（ａ）に示すように、Ｃｏｎｔ２Ｚに格納された制御情報は、ＵＥ３Ｚの識別情報であるＥＩＤと、当該ＵＥ３Ｚを収容している（ＵＥ３Ｚの場所を示す）ＧＷ１Ｚの識別情報であるＲＬＯＣとを含む。図４（ａ）に示す制御情報は、ＧＷ１ａＺがＵＥ３ａＺを収容し、ＧＷ１ｄＺがＵＥ３ｂＺを収容していることを示している。
【００１８】
まず、ＵＥ３ａＺの移動に伴い、ＵＥ３ａＺの収容先がＧＷ１ａＺからＧＷ１ｂＺに変更になった際の更新通知を行っている図５のステップＳ１Ｚ〜Ｓ３Ｚを説明する。ＵＥ３ａＺが移動した後、ＵＥ３ａＺは新しい収容先であるＧＷ１ｂＺに対して、自端末の識別情報「ＵＥ  ＃１」を含む登録指示を送信する（Ｓ１Ｚ）。登録指示を受信したＧＷ１ｂＺはＣｏｎｔ２Ｚに対して、登録指示に含まれる識別情報「ＵＥ  ＃１」を含む更新指示を送信する（Ｓ２Ｚ）。更新指示を受信したＣｏｎｔ２Ｚは、更新指示に基づいて制御情報を更新する。図４（ｂ）は、図４（ａ）に示す制御情報が更新指示に基づいて更新された後の制御情報を示す。図４（ｂ）に示す通り、ＵＥ３ａＺを収容するゲートウェイ装置がＧＷ１ａＺからＧＷ１ｂＺに変更されている。
【００１９】
続いて、Ｃｏｎｔ２Ｚは、ＵＥ３ａＺを収容していたＧＷ１ａＺ（更新前の図４（ａ）の制御情報において更新指示に含まれる識別情報に対応付いているＲＬＯＣが示すＧＷ１Ｚ）に対して、更新指示に含まれる識別情報「ＵＥ  ＃１」を含む削除通知を送信する（Ｓ３Ｚ）。削除通知を受信したＧＷ１ａＺは、削除通知に基づいて宛先情報を更新する。図２（ｂ）は、図２（ａ）に示す宛先情報が削除通知に基づいて更新された後の宛先情報を示す。図２（ｂ）に示す通り、収容していたＵＥ３ａＺのＥＩＤが削除され、どのＵＥ３Ｚも収容していないように変更されている。以上が更新通知の説明である。
【００２０】
次に、上述の更新通知後にパケット送信を行っている図５のステップＳ４Ｚ〜Ｓ１０Ｚを説明する。送信元となるＵＥ３ｂＺは収容先のＧＷ１ｄＺに対して、宛先である宛先端末のＵＥ３ａＺの識別情報「ＵＥ  ＃１」を含むパケット（Ｕ−Ｐｌａｎｅパケット）を送信する（Ｓ４Ｚ）。パケットを受信したＧＷ１ｄＺは、宛先情報に基づいてパケットをＧＷ１ａＺに転送する（Ｓ５Ｚ）。より具体的には、ＧＷ１ｄＺは、図３（ａ）の宛先情報において受信したパケットに含まれる識別情報「ＵＥ  ＃１」に対応付いた識別情報「ＧＷ  ＃１」が示すＧＷ１ａＺにパケットを転送する。パケットを受信したＧＷ１ａＺは、宛先情報に基づいてパケットを転送しようと試みるが、図２（ｂ）の宛先情報の通り、受信したパケットに含まれる識別情報「ＵＥ  ＃１」が存在しない（自装置がＵＥ３ａＺを収容していない）ため、パケットの送信元であるＧＷ１ｄＺに対して、宛先情報の更新通知を送信する（Ｓ６Ｚ）。
【００２１】
更新通知を受信したＧＷ１ｄＺはＣｏｎｔ２Ｚに対して、Ｓ４Ｚにて受信したパケットに含まれる識別情報「ＵＥ  ＃１」を含むＲＬＯＣ要求を送信する（Ｓ７Ｚ）。ＲＬＯＣ要求を受信したＣｏｎｔ２Ｚは、制御情報に基づいてＲＬＯＣ要求に含まれる識別情報「ＵＥ  ＃１」に対応するＲＬＯＣを抽出し、抽出したＲＬＯＣを含むＲＬＯＣ回答をＲＬＯＣ要求の送信元であるＧＷ１ｄＺに送信する（Ｓ８Ｚ）。より具体的には、Ｃｏｎｔ２Ｚは、図４（ｂ）の制御情報においてＲＬＯＣ要求に含まれる識別情報「ＵＥ  ＃１」に対応付いた識別情報「ＧＷ  ＃２」を抽出し、抽出した識別情報「ＧＷ  ＃２」を含むＲＬＯＣ回答をＧＷ１ｄＺに送信する。ＲＬＯＣ回答を受信したＧＷ１ｄＺは、ＲＬＯＣ回答に基づいて宛先情報を更新する。図３（ｂ）は、図３（ａ）に示す宛先情報がＲＬＯＣ回答に基づいて更新された後の宛先情報を示す。図３（ｂ）に示す通り、ＵＥ３ａＺを収容するゲートウェイ装置がＧＷ１ａＺから（ＲＬＯＣ回答に含まれる識別情報「ＧＷ  ＃２」が示す）ＧＷ１ｂＺに変更されている。このように、ＧＷ１ｄＺの宛先情報の更新は、ただちに行われず、Ｓ５ＺにてＧＷ１ａＺがＵＥ３ａＺへのパケットを受信したことを契機に実施される。
【００２２】
続いて、ＧＷ１ｄＺは、更新された宛先情報に基づいてＳ４Ｚにて受信したパケットを宛先端末のＵＥ３ａＺを収容するＧＷ１ｂＺに転送する（Ｓ９Ｚ）。より具体的には、ＧＷ１ｄＺは、図３（ｂ）の宛先情報においてＳ４Ｚにて受信したパケットに含まれる識別情報「ＵＥ  ＃１」に対応付いた識別情報「ＧＷ  ＃２」が示すＧＷ１ｂＺにパケットを転送する。パケットを受信したＧＷ１ｂＺは、宛先情報に基づいて、収容しているＵＥ３ａＺに対して受信したパケットを転送する（Ｓ１０Ｚ）。以上がパケット送信の説明である。ここで、ＧＷ１ｄＺは、Ｓ５ＺからＳ９Ｚまでの間、すなわち図３の宛先情報を更新する間、当該処理を行うため通信断が発生し、通信遅延が発生する。
【００２３】
以上が従来技術による移動体ネットワークについての説明である。続いて、図６〜１０を用いてＧＷ装置を含む移動体ネットワークについて説明する。なお、図６に示すＧＷ装置を含む移動体ネットワークのシステム構成図は、図１に示す従来技術による移動体ネットワークのシステム構成図と同様であり（図６に示す各ノードは、図１中の、当該ノードの参照符号の最後に「Ｚ」を付けた名称のノードに対応する）、図７〜９に示す宛先情報又は制御情報は、図２〜４に示す宛先情報又は制御情報と同様であるため、以降では同じ説明は省略し、主に差分について説明する。
【００２４】
図１０は、図６に示す移動体ネットワークで実行される処理を示すシーケンス図である。前提として、ＧＷ１ａは、図７（ａ）に示す宛先情報を格納し、ＧＷ１ｄは、図８（ａ）に示す宛先情報を格納し、Ｃｏｎｔ２は、図９（ａ）に示す制御情報を格納しているものとする。図７（ａ）に示すように、ＧＷ１ａに格納された宛先情報は、ＵＥ３の識別情報であるＥＩＤと、当該ＵＥ３を収容している（ＵＥ３の場所を示す）ＧＷ１の識別情報であるＲＬＯＣとを含む。図７（ａ）に示す宛先情報は、ＧＷ１ｄがＵＥ３ｂを収容していることを示している。また、図８（ａ）に示すように、ＧＷ１ｄに格納された宛先情報は、ＵＥ３の識別情報であるＥＩＤと、当該ＵＥ３を収容している（ＵＥ３の場所を示す）ＧＷ１の識別情報であるＲＬＯＣとを含む。図８（ａ）に示す宛先情報は、ＧＷ１ａがＵＥ３ａを収容していることを示している。また、図９（ａ）に示すように、Ｃｏｎｔ２に格納された制御情報は、ＵＥ３の識別情報であるＥＩＤと、当該ＵＥ３を収容している（ＵＥ３の場所を示す）ＧＷ１の識別情報であるＲＬＯＣとを含む。図９（ａ）に示す制御情報は、ＧＷ１ａがＵＥ３ａを収容し、ＧＷ１ｄがＵＥ３ｂを収容していることを示している。
【００２５】
まず、ＵＥ３ａの移動に伴い、ＵＥ３ａの収容先がＧＷ１ａからＧＷ１ｂに変更になった際の更新通知を行っている図１０のステップＳ１〜Ｓ３を説明する。ＵＥ３ａが移動した後、ＵＥ３ａは新しい収容先であるＧＷ１ｂに対して、自端末の識別情報「ＵＥ  ＃１」を含む登録指示を送信する（Ｓ１）。登録指示を受信したＧＷ１ｂはＣｏｎｔ２に対して、登録指示に含まれる識別情報「ＵＥ  ＃１」を含む更新指示を送信する（Ｓ２）。更新指示を受信したＣｏｎｔ２は、更新指示に基づいて制御情報を更新する。図９（ｂ）は、図９（ａ）に示す制御情報が更新指示に基づいて更新された後の制御情報を示す。図９（ｂ）に示す通り、ＵＥ３ａを収容するゲートウェイ装置がＧＷ１ａからＧＷ１ｂに変更されている。
【００２６】
続いて、Ｃｏｎｔ２は、ＵＥ３ａを収容していたＧＷ１ａ（更新前の図９（ａ）の制御情報において更新指示に含まれる識別情報に対応付いているＲＬＯＣが示すＧＷ１）に対して、更新指示に含まれる識別情報「ＵＥ  ＃１」を含む削除通知を送信する（Ｓ３）。削除通知を受信したＧＷ１ａは、削除通知に基づいて宛先情報を更新する。なお、前提としてＧＷ１ａは図７（ａ）に示す宛先情報を格納すると説明したが、当初の宛先情報にはＥＩＤ「ＵＥ  ＃１」とＲＬＯＣ「ＧＷ  ＃１」とがさらに対応付けられており、Ｓ３の削除通知に基づいて宛先情報を更新した結果、図７（ａ）に示す宛先情報へと変更されてもよい。以上が更新通知の説明である。
【００２７】
次に、上述の更新通知後にパケット送信を行っている図１０のステップＳ４〜Ｓ１１を説明する。送信元となるＵＥ３ｂは収容先のＧＷ１ｄに対して、宛先である宛先端末のＵＥ３ａの識別情報「ＵＥ  ＃１」を含むパケット（Ｕ−Ｐｌａｎｅパケット）を送信する（Ｓ４）。パケットを受信したＧＷ１ｄは、宛先情報に基づいてパケットをＧＷ１ａに転送する（Ｓ５）。より具体的には、ＧＷ１ｄは、図８（ａ）の宛先情報において受信したパケットに含まれる識別情報「ＵＥ  ＃１」に対応付いた識別情報「ＧＷ  ＃１」が示すＧＷ１ａにパケットを転送する。
【００２８】
パケット（受信パケット）を受信したＧＷ１ａは、受信パケットをバッファリングし、受信パケットの宛先となるＵＥ３（宛先端末）を収容するＧＷ１を検索する。より具体的には、ＧＷ１ａは、図７（ａ）の宛先情報において受信パケットに含まれる識別情報「ＵＥ  ＃１」に対応付いたＧＷ１を検索する。しかしながら、図７（ａ）の宛先情報において識別情報「ＵＥ  ＃１」に対応付いたＧＷ１は無い。すなわち、ＧＷ１ａは、受信パケットの宛先となるＵＥ３を収容するＧＷ１を把握していない。受信パケットの宛先となるＵＥ３を収容するＧＷ１を検索できなかった場合、ＧＷ１はＣｏｎｔ２に対して、受信パケットに含まれる識別情報「ＵＥ  ＃１」を含むＲＬＯＣ要求（宛先端末を収容するＧＷ１（宛先ゲートウェイ装置）の問い合わせ）を送信する（Ｓ６）。なお、ＧＷ１ａが受信パケットをバッファリングするタイミングは、受信パケットの宛先となるＵＥ３を収容するＧＷ１を検索できなかったタイミングでもよい。
【００２９】
ＲＬＯＣ要求を受信したＣｏｎｔ２は、制御情報に基づいてＲＬＯＣ要求に含まれる識別情報「ＵＥ  ＃１」に対応するＲＬＯＣを抽出し、抽出したＲＬＯＣを含むＲＬＯＣ回答をＲＬＯＣ要求の送信元であるＧＷ１ａに送信する（Ｓ７）。より具体的には、Ｃｏｎｔ２は、図９（ｂ）の制御情報においてＲＬＯＣ要求に含まれる識別情報「ＵＥ  ＃１」に対応付いた識別情報「ＧＷ  ＃２」を抽出し、抽出した識別情報「ＧＷ  ＃２」を含むＲＬＯＣ回答をＧＷ１ａに送信する。ＲＬＯＣ回答を受信したＧＷ１ａは、ＲＬＯＣ回答に基づいて宛先情報を更新する。図７（ｂ）は、図７（ａ）に示す宛先情報がＲＬＯＣ回答に基づいて更新された後の宛先情報を示す。図７（ｂ）に示す通り、ＵＥ３ａを収容するゲートウェイ装置として（ＲＬＯＣ回答に含まれる識別情報「ＧＷ  ＃２」が示す）ＧＷ１ｂが追加で登録されている。
【００３０】
続いて、ＧＷ１ａは、更新された宛先情報に基づいて、バッファリングした受信パケットを宛先端末のＵＥ３ａを収容するＧＷ１ｂ（上述のＣｏｎｔ２への問い合わせにより得られたＧＷ１）に転送する（Ｓ８）。より具体的には、ＧＷ１ａは、図７（ｂ）の宛先情報において受信パケットに含まれる識別情報「ＵＥ  ＃１」に対応付いた識別情報「ＧＷ  ＃２」が示すＧＷ１ｂに、バッファリングした受信パケットを転送する。次に、ＧＷ１ａは、Ｓ６及び７の処理で得られた、ＵＥ３ａはＧＷ１ｂによって収容されている旨の情報（例えば、ＵＥ３ａの識別情報「ＵＥ  ＃１」とＧＷ１ｂの識別情報「ＧＷ  ＃２」との組の情報）を含む、宛先情報の更新指示を、受信パケットの送信元であるＧＷ１ｄに対して送信する（Ｓ９）。
【００３１】
なお、Ｓ８とＳ９の順番は逆でもよい。すなわち、Ｓ７の後に宛先情報を更新したＧＷ１ａは、宛先情報の更新指示をＧＷ１ｄに対して送信してから、バッファリングした受信パケットをＧＷ１ｂに転送してもよい。
【００３２】
更新指示を受信したＧＷ１ｄは、更新指示に基づいて宛先情報を更新する。図８（ｂ）は、図８（ａ）に示す宛先情報が更新指示に基づいて更新された後の宛先情報を示す。図８（ｂ）に示す通り、ＵＥ３ａを収容するゲートウェイ装置がＧＷ１ａからＧＷ１ｂに変更されている。以降（又は上述のＣｏｎｔ２への問い合わせを行った後）、ＧＷ１ｄは、更新された宛先情報に基づいて、受信したパケットがＵＥ３ａを宛先とする場合は（Ｃｏｎｔ２に問い合わせを再度行うことなく）当該パケットをＵＥ３ａを収容するＧＷ１ｂに転送する（Ｓ１０）。より具体的には、ＧＷ１ｄは、宛先として識別情報「ＵＥ  ＃１」を含むパケットを受信した場合、図８（ｂ）の宛先情報において当該識別情報「ＵＥ  ＃１」に対応付いた識別情報「ＧＷ  ＃２」が示すＧＷ１ｂにパケットを転送する。パケットを受信したＧＷ１ｂは、宛先情報に基づいて、収容しているＵＥ３ａに対して受信したパケットを転送する（Ｓ１１）。以上がパケット送信の説明である。
【００３３】
続いて、図１０にて示した移動体ネットワークで実行される処理の一部を実行するＧＷ１ａ（ＧＷ装置）の機能の詳細について説明する。図１１はＧＷ１ａの機能ブロック図である。図１１に示す通りＧＷ１ａは、宛先情報更新部１０、宛先情報格納部１１、パケット受信部１２、把握判定部１３、バッファリング部１４、宛先問い合わせ部１５、パケット転送部１６及び更新指示部１７を含んで構成される。
【００３４】
宛先情報更新部１０は、ＧＷ１、Ｃｏｎｔ２又はＵＥ３等の他のノードから宛先情報の更新指示を受信し、受信した更新指示に基づいて宛先情報格納部１１によって格納された宛先情報を更新する。宛先情報の更新指示には、宛先情報の更新に必要な情報が含まれる。例えば、図１０のＳ３にて送信された削除通知に基づく宛先情報の更新は、宛先情報更新部１０によって実行される。
【００３５】
宛先情報格納部１１は、宛先情報を格納する。例えば、図７の宛先情報は宛先情報格納部１１によって格納される。
【００３６】
パケット受信部１２は、ＧＷ１、Ｃｏｎｔ２又はＵＥ３等の他のノードからパケットを受信する。
【００３７】
把握判定部１３は、パケット受信部１２がパケットを受信した場合に、受信したパケットの宛先となるＵＥ３を収容するＧＷ１を把握しているか否かを判定する。把握判定部１３による判定は、上述の図１０のＳ５からＳ６の間の処理の説明の通りである。
【００３８】
バッファリング部１４は、パケット受信部１２が受信したパケットをバッファリングする。バッファリング部１４によるバッファリングについては、上述の図１０のＳ５からＳ６の間の処理及びＳ８の処理の説明の通りである。
【００３９】
宛先問い合わせ部１５は、把握判定部１３が、受信したパケットの宛先となるＵＥ３を収容するＧＷ１を把握していないと判定した場合に、Ｃｏｎｔ２に対して当該ＧＷ１の問い合わせを行い、当該問い合わせにより当該ＧＷ１に関する情報（ＧＷ１の識別情報等）を取得する。また、宛先問い合わせ部１５は、取得したＧＷ１に関する情報に基づいて、宛先情報格納部１１によって格納された宛先情報を更新する。宛先問い合わせ部１５による問い合わせ及び宛先情報の更新については、上述の図１０のＳ６からＳ８の間の処理の説明の通りである。
【００４０】
パケット転送部１６は、パケット受信部１２が受信したパケット、又は、バッファリング部１４がバッファリングしたパケットを、宛先情報格納部１１によって格納された宛先情報に基づいて対象のノードに転送する。パケット転送部１６による転送については、上述の図１０のＳ８及びＳ１０の処理の説明の通りである。
【００４１】
更新指示部１７は、他のＧＷ１の宛先情報の更新が必要になった際に、当該他のＧＷ１に対して宛先情報の更新指示を送信する。宛先情報の更新指示には、宛先情報の更新に必要な情報（例えば、所定のＵＥ３は所定のＧＷ１によって収容されている旨の情報）が含まれる。更新指示部１７による更新指示の送信については、上述の図１０のＳ９の処理の説明の通りである。
【００４２】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００４３】
例えば、本発明の一実施の形態におけるＧＷ１ａなどは、図１０に示す処理を行うコンピュータとして機能してもよい。図１２は、ＧＷ１ａのハードウェア構成の一例を示す図である。ＧＷ１ａは、物理的には、プロセッサ１００１、メモリ１００２、ストレージ１００３、通信装置１００４、入力装置１００５、出力装置１００６、バス１００７などを含むコンピュータ装置として構成されてもよい。
【００４４】
なお、以下の説明では、「装置」という文言は、回路、デバイス、ユニットなどに読み替えることができる。ＧＷ１ａのハードウェア構成は、図に示した各装置を１つ又は複数含むように構成されてもよいし、一部の装置を含まずに構成されてもよい。
【００４５】
ＧＷ１ａにおける各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００４６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の宛先情報更新部１０、パケット受信部１２、把握判定部１３、宛先問い合わせ部１５、パケット転送部１６及び更新指示部１７などは、プロセッサ１００１で実現されてもよい。
【００４７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、宛先情報更新部１０、宛先情報格納部１１、パケット受信部１２、把握判定部１３、バッファリング部１４、宛先問い合わせ部１５、パケット転送部１６及び更新指示部１７は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００４８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、図１０に示す処理を実施するために実行可能なプログラム（プログラムコード）、ソフトウェアモジュールなどを保存することができる。
【００４９】
ストレージ１００３は、コンピュータ読み取り可能な記録媒体であり、例えば、ＣＤ−ＲＯＭ（Compact  Disc  ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、宛先情報更新部１０、パケット受信部１２、把握判定部１３、宛先問い合わせ部１５、パケット転送部１６及び更新指示部１７などは、通信装置１００４で実現されてもよい。
【００５１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００５２】
また、プロセッサ１００１やメモリ１００２などの各装置は、情報を通信するためのバス１００７で接続される。バス１００７は、単一のバスで構成されてもよいし、装置間で異なるバスで構成されてもよい。
【００５３】
また、ＧＷ１ａは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５４】
次に、本実施形態のように構成されたＧＷ１ａの作用効果について説明する。
【００５５】
本実施形態のＧＷ１ａは、受信した受信パケットの宛先となるＵＥ３ａを収容するＧＷ１（ＧＷ１ｂ）を把握していない場合、ＵＥ３を収容するＧＷ１を管理するＣｏｎｔ２に対してＵＥ３ａを収容するＧＷ１（ＧＷ１ｂ）の問い合わせを行い、問い合わせにより得られたＧＷ１ｂに受信パケットを送信する。これにより、例えば、ＵＥ３ａの移動により、ＵＥ３ａを収容するゲートウェイ装置がＧＷ１ａからＧＷ１ｂに変更された場合でも、送信元のゲートウェイ装置であるＧＷ１ｄからの受信パケットを、Ｃｏｎｔ２への問い合わせにより得られたＧＷ１ｂに送信することができる。そのため、ＧＷ１ｄは、ＧＷ１ａにパケットの送信を継続することができ、通信断が発生せず、通信遅延の発生を抑えることができる。また、ＧＷ１ｄは、パケット再送を考慮したバッファリングが不要となる。
【００５６】
また、本実施形態のＧＷ１ａは、受信パケットをバッファリングし、問い合わせにより得られたＧＷ１ｂにバッファリングした受信パケットを送信する。これにより、例えば、ＧＷ１ｄは、ＧＷ１ａにパケットの送信を継続することができ、通信断が発生せず、通信遅延の発生を抑えることができる。また、ＧＷ１ｄは、パケット再送を考慮したバッファリングが不要となる。
【００５７】
また、本実施形態のＧＷ１ａは、受信パケットの送信元であるＧＷ１ｄに対して、ＵＥ３ａはＧＷ１ｂによって収容されている旨の情報を送信する。これにより、例えば、ＧＷ１ｄは当該情報に基づいて宛先情報を更新することができ、以降は、ＵＥ３ａ宛のパケットをＧＷ１ａではなく、ＵＥ３ａを収容するＧＷ１ｂに送信することができる。このように、ＧＷ１ａを経由することなく直接ＧＷ１ｂに送信することができるため、パケット通信が高速になると共に、ネットワーク負荷が低減する。
【００５８】
また、本実施形態のＧＷ１ａは、問い合わせを行った後に宛先がＵＥ３ａであるパケットを受信した場合、Ｃｏｎｔ２に問い合わせを再度行うことなく、問い合わせにより得られたＧＷ１ｂに当該パケットを送信する。これにより、例えば、Ｃｏｎｔ２への問い合わせが減るため、パケット通信が高速になると共に、ネットワーク負荷が低減する。
【００５９】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６０】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００６１】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６３】
本明細書において基地局によって行われるとした特定動作は、場合によってはその上位ノード（upper  node）によって行われることもある。基地局を有する１つまたは複数のネットワークノード（network  nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００６４】
情報等は、上位レイヤ（または下位レイヤ）から下位レイヤ（または上位レイヤ）へ出力され得る。複数のネットワークノードを介して入出力されてもよい。
【００６５】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００６６】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００６９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７０】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７２】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７３】
本明細書で使用する「システム」および「ネットワーク」という用語は、互換的に使用される。
【００７４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７５】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７６】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote  Radio  Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed  station）、ＮｏｄｅＢ、ｅＮｏｄｅＢ（ｅＮＢ）、アクセスポイント（access  point）、フェムトセル、スモールセルなどの用語で呼ばれる場合もある。
【００７７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７８】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking  up）（例えば、テーブル、データベースまたは別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００７９】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００８０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８１】
「含む（including）」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００８２】
本開示の全体において、例えば、英語でのa、an及びtheのように、翻訳により冠詞が追加された場合、これらの冠詞は、文脈から明らかにそうではないことが示されていなければ、複数のものを含むものとする。
【符号の説明】
【００８３】
１・１ａ・１ｂ・１ｃ・１ｄ・１ｅ…ＧＷ、２…Ｃｏｎｔ、３・３ａ・３ｂ…ＵＥ、１０…宛先情報更新部、１１…宛先情報格納部、１２…パケット受信部、１３…把握判定部、１４…バッファリング部、１５…宛先問い合わせ部、１６…パケット転送部、１７…更新指示部。
【図１】
2019080116.tif 000003
【図２】
2019080116.tif 000004
【図３】
2019080116.tif 000005
【図４】
2019080116.tif 000006
【図５】
2019080116.tif 000007
【図６】
2019080116.tif 000008
【図７】
2019080116.tif 000009
【図８】
2019080116.tif 000010
【図９】
2019080116.tif 000011
【図１０】
2019080116.tif 000012
【図１１】
2019080116.tif 000013
【図１２】
2019080116.tif 000014